(57)【要約】【課題】  遠近感を有する動きのある映像を簡易な構成で提供する。【解決手段】  情報表示装置において、透明基材の表面に複数の凸レンズ４Ａが所定のパターンで形成されたレンズシート４を配置し、その背面側には、所定のターゲットマークを含む映像を表示するディスプレイ手段６を配置する。そして、映像制御装置８によって、ディスプレイ手段６の出力映像を制御し、ターゲットマークを、凸レンズ４Ａのパターン配置に対して変位させて映し出すと共に、このターゲットマークを含む映像を経時的に変化させるようにする。【選択図】図１
2006215058.tif 000002
【特許請求の範囲】
【請求項１】
透明基材の表面に複数の凸レンズが所定のパターンで形成されたレンズシートと、
該レンズシートの背面側に配置され、所定のターゲットマークを含む映像を表示可能なディスプレイ手段と、
前記ディスプレイ手段の出力映像を制御可能な映像制御手段と、を備え、
前記映像制御手段が、
前記ターゲットマークを前記凸レンズのパターン配置に対して変位させて映し出すと共に、該ターゲットマークを含む映像を経時的に変化させることを特徴とする情報表示装置。
【請求項２】
前記映像制御手段が、前記凸レンズのパターン配置に対する前記ターゲットマークの前記変位の量を変化させることを特徴とする請求項１に記載の情報表示装置。
【請求項３】
前記映像制御手段が、前記ターゲットマークの図柄を変化させることを特徴とする請求項１又は２に記載の情報表示装置。
【請求項４】
前記映像制御手段が、前記ターゲットマークの大きさを変化させることを特徴とする請求項１、２又は３に記載の情報表示装置。
【請求項５】
前記映像制御手段が、前記ターゲットマークの大きさと、前記凸レンズのパターン配置に対する前記ターゲットマークの前記変位の量を同時に変化させることを特徴とする請求項１乃至４のいずれかに記載の情報表示装置。
【請求項６】
前記映像制御手段が、前記ターゲットマークより大きく構成されて該ターゲットマークを内部に複数含むバックマークを表示することを特徴とする請求項１乃至５のいずれかに記載の情報表示装置。
【請求項７】
前記映像制御手段が、前記バックマークを変化させることを特徴とする請求項６に記載の情報表示装置。
【請求項８】
前記バックマークが、文字又は数字であることを特徴とする請求項６又は７に記載の情報表示装置。
【請求項９】
観察者の位置を計測可能な距離センサーを更に備え、
前記映像制御手段が、前記距離センサーによって計測される観察者の距離に基づいて、前記映像を変化させることを特徴とする請求項１乃至８に記載の情報表示装置。
【請求項１０】
前記映像制御手段が、前記距離に基づいて多段階的に前記映像を変化させることを特徴とする請求項９記載の情報表示装置。
【請求項１１】
周囲の明るさを計測可能な光センサーを更に備え、
前記映像制御手段が、前記光センサーによって計測される周囲の明るさに基づいて、前記映像を変化させることを特徴とする請求項１乃至１０に記載の情報表示装置。
【請求項１２】
周囲の音を計測可能な音センサーを更に備え、
前記映像制御手段が、前記音センサーによって計測される周囲の音量に基づいて、前記映像を変化させることを特徴とする請求項１乃至１１に記載の情報表示装置。
【発明の詳細な説明】
【技術分野】
【０００１】
本発明は、映像によって観察者に遠近感を奏させる情報表示装置に関するものである。
【背景技術】
【０００２】
従来、立体映像を表示する立体映像表示装置に関しては、様々なタイプのものが開発されている。例えば、映像を表示可能なディスプレイに、パララックスバリアやレンチキュラーレンズを配置することで、特別な眼鏡を用いずに、右眼用映像と左眼用映像を分離させて左右の眼に映し出し、観察者に立体感を奏させることが行われている（特許文献１参照）。
【０００３】
又印刷物に関しては、平面的に印刷された模様が、見る角度の変化によって移動するように設定することで、観察者に遠近感を奏させる装飾シートが存在する（特許文献２参照）。具体的にこの装飾シートは、表面にかまぼこ状又は略半球状の凸レンズが連続的に所定のパターンで配置された透明基材の背面に、同パターンで所定の図柄を印刷したものである。凸レンズは、背面に印刷された図柄の視認領域（見える範囲）を変化させる役割を果たすので、具体的には、凸レンズの配置パターンに対して、印刷図柄の配置パターンを積極的に変位させて印刷しておくと、視線の角度に応じて、図柄がシート内を移動するようになる。シート内を図柄が移動すると、図柄が近くに感じたり、遠くに感じたりする。
【特許文献１】特開２００２−３００６１０号公報
【特許文献２】特許第２７６１８６１号公報
【発明の開示】
【発明が解決しようとする課題】
【０００４】
しかしながら、従来の立体映像を表示する情報表示装置は、右目と左眼の映像を異ならせることで、映像全体を３次元的に表現しようとするものであるため、観察者の視点位置が限定されるという問題があった。又、その問題を回避するには、ディスプレイの構造を高度に工夫する必要があり、製造コストが高くなってしまうという問題があった。
【０００５】
一方、印刷物による装飾シートの場合は、一旦その装飾効果を楽しんだ後は、印刷に全く変化が無いため、直ぐに飽きてしまうという問題があった。
【０００６】
結局、これらの装置及びシートは、長期的な訴求力が要求され、且つ複数人に対して同時に情報配信が必要となる看板等には、ほとんど採用されていないのが現状である。
【０００７】
本発明は上記問題点に鑑みてなされたものであり、簡易な構成でありながら、観察者に長期的に興味を抱かせるような情報表示装置を提供することを目的としている。
【課題を解決するための手段】
【０００８】
本発明者は、上記目的に関して、以下の手段で解決した。
【０００９】
（１）透明基材の表面に複数の凸レンズが所定のパターンで形成されたレンズシートと、該レンズシートの背面側に配置され、所定のターゲットマークを含む映像を表示可能なディスプレイ手段と、前記ディスプレイ手段の出力映像を制御可能な映像制御手段と、を備え、前記映像制御手段が、前記ターゲットマークを前記凸レンズのパターン配置に対して変位させて映し出すと共に、該ターゲットマークを含む映像を経時的に変化させることを特徴とする情報表示装置。
【００１０】
（２）前記映像制御手段が、前記凸レンズのパターン配置に対する前記ターゲットマークの前記変位の量を変化させることを特徴とする上記（１）に記載の情報表示装置。
【００１１】
（３）前記映像制御手段が、前記ターゲットマークの図柄を変化させることを特徴とする上記（１）又は（２）に記載の情報表示装置。
【００１２】
（４）前記映像制御手段が、前記ターゲットマークの大きさを変化させることを特徴とする上記（１）、（２）又は（３）に記載の情報表示装置。
【００１３】
（５）前記映像制御手段が、前記ターゲットマークの大きさと、前記凸レンズのパターン配置に対する前記ターゲットマークの前記変位の量を同時に変化させることを特徴とする上記（１）乃至（４）のいずれかに記載の情報表示装置。
【００１４】
（６）前記映像制御手段が、前記ターゲットマークより大きく構成されて該ターゲットマークを内部に複数含むバックマークを表示することを特徴とする上記（１）乃至（５）のいずれかに記載の情報表示装置。
【００１５】
（７）前記映像制御手段が、前記バックマークを変化させることを特徴とする上記（６）に記載の情報表示装置。
【００１６】
（８）前記バックマークが、文字又は数字であることを特徴とする上記（６）又は（７）に記載の情報表示装置。
【００１７】
（９）観察者の位置を計測可能な距離センサーを更に備え、前記映像制御手段が、前記距離センサーによって計測される観察者の距離に基づいて、前記映像を変化させることを特徴とする上記（１）乃至（８）に記載の情報表示装置。
【００１８】
（１０）前記映像制御手段が、前記距離に基づいて多段階的に前記映像を変化させることを特徴とする上記（９）に記載の情報表示装置。
【００１９】
（１１）周囲の明るさを計測可能な光センサーを更に備え、前記映像制御手段が、前記光センサーによって計測される周囲の明るさに基づいて、前記映像を変化させることを特徴とする上記（１）乃至（１０）に記載の情報表示装置。
【００２０】
（１２）周囲の音を計測可能な音センサーを更に備え、前記映像制御手段が、前記音センサーによって計測される周囲の音量に基づいて、前記映像を変化させることを特徴とする上記（１）乃至（１１）に記載の情報表示装置。
【発明の効果】
【００２１】
本発明によれば、遠近感を有する映像を変化させて配信することが可能になり、観察者に対して強い興味を抱かせることができるという優れた効果を奏し得る。
【発明を実施するための最良の形態】
【００２２】
以下、図面を参照しながら、本発明の実施の形態について詳細に説明する。
【００２３】
図１は、本発明の実施形態に係る情報表示装置１が示されている。この情報表示装置１は、レンズシート４と、フラット型のディスプレイ装置６と、制御コンピュータ装置８を備えている。レンズシート４は、透明基材の表面に複数の半円形の凸レンズ４Ａが所定のパターンで形成されて構成されている。特にここでは、凸レンズ４Ａがマス目状のパターンに沿って整列配置されている。なお、マス目状のパターン以外にも、亀甲状のパターンや、その他のパターンでも構わない。なお、凸レンズ４Ａの形状は特に限定されるものではないが、半円形の他に、例えば六角形等を採用することも出来る。
【００２４】
ディスプレイ装置６は、ここでは液晶ディスプレイが用いられており、フルカラーの映像を表示可能となっている。更に、このディスプレイ装置６には、計測センサーボックス１０と、補助効果ボックス１２が設置されている。計測センサーボックス１０は、観察者との距離を計測可能な距離センサー（近接センサー）１０Ａ、周囲の明るさを計測可能な光センサー１０Ｂ、周囲の騒音を計測可能な音センサー１０Ｃを備えている。この計測結果の出力は制、御コンピュータ装置８に入力され、その出力値に応じて各制御を実行する。補助効果ボックス１２は、強い光を瞬時に発するフラッシュ１２Ａと、音を出すスピーカ１２Ｂを備えており、制御コンピュータ装置８の指示に基づいて、光や音を発するようになっている。これにより、観察者に更に興味を湧かせるようにしている。
【００２５】
図２には、制御コンピュータ装置８の内部ハード構成が模式的に示されている。
【００２６】
この制御コンピュータ装置８は汎用コンピュータを用いたものであり、制御部１１０、記憶部１２０、表示部１３０、操作部１４０、外部記憶インターフェース部１５０、通信インターフェース部１６０、映像出力部１７０、計測インターフェース部１８０、補助効果インターフェース部１９０を備えており、バス２００によって、これらの間で信号をやり取り可能に相互接続されている。
【００２７】
制御部１１０はＣＰＵであり、プログラムに従って、上記各部の制御や各種演算処理等を行う。記憶部１２０は、この情報表示装置１の基本動作を制御する制御プログラム等を格納するＲＯＭ、作業領域として一時的にプログラムやデータを記憶するＲＡＭ、映像や画像、音声等の容量の多いデータを格納するディスク型記録媒体を備える。表示部１３０は、この制御装置の操作を行うための小型液晶ディスプレイであり、この制御コンピュータを操作するための各種情報を表示する。操作部１４０は操作キーボード等からなり、各種命令やデータを入力する。外部記憶インターフェース部１５０は、フレキシブルディスク読取装置やＣＤ（コンパクトディスク）読取装置、ＵＳＢメモリ用接続口等を備えており、の外部記録媒体と接続して情報の読み込みが可能となっている。通信インターフェース１６０は、ＬＡＮ等を介して公衆通信回線網２に接続して、携帯電話やＰＣ、サーバ等との通信を行うためのインターフェースである。これによって、ＬＡＮ経由のコンテンツ伝送や遠隔制御が可能となっている。映像出力部１７０はディスプレイ装置６に接続され、このディスプレイ装置６に対して映像情報を伝送する。計測インターフェース部１８０は、計測センサーボックス１０に接続され、距離センサー（近接センサー）１０Ａ、光センサー１０Ｂ、音センサー１０Ｃで計測されたアナログ情報をデジタル信号に変換し、バス２００を介して制御部１１０等に計測結果を提供可能になっている。補助効果インターフェース部１９０は、補助効果ボックス１２と接続されて、プログラムの指示に応じてフラッシュ１２Ａを点灯させたり、スピーカ１２Ｂから音を出させたりするようになっている。
【００２８】
図３には、この制御コンピュータ装置８のプログラム構成を示すブロック図が示されている。
【００２９】
この制御コンピュータ装置８は、プログラム機能として、ターゲットマーク設定手段３００、バックマーク設定手段３１０、マーク映像配信手段３２０、マーク映像変更手段３３０、補助効果設定手段３４０、を備えている。ターゲットマーク設定手段３００は、遠近感を生じさせるターゲットマークを設定するものであり、各種画像や文字等をターゲットマークとして設定する。またここでは、複数のターゲットマークを設定し、選択的に切り替えて表示させることも出来る。バックマーク設定手段３１０は、ターゲットマークと比較して大きくなるマークを別途設定する。結局、映像として映し出される際には、バックマークの内部に、複数のターゲットマークが含まれることになる。バックマークも複数設定することが可能であり、選択的に切り替えて映像に含めることが出来る。なお、これらのマークは、ＧＩＦやＪＰＥＧ、ＰＮＧ等の画像情報を用いても良く、又は所定のフォントに基づいた文字・数字・図形でも構わない。文字等の場合は、複数の文字をまとめて表示することも可能である。
【００３０】
マーク映像変更手段３３０は、上記ターゲットマーク及びバックマークの配列や動きを設定する。例えば、レンズシート４の凸レンズ４Ａのパターン情報と同パターンでターゲットマークを配列すると共に、各ターゲットマークを予め設定された変位量でずらすことで、全体映像を生成することが可能となっている。又この際に、レンズシート４とディスプレイ装置６の組み立て誤差を考慮して、ターゲットマーク出力映像全体の上下・左右位置を微調整し、ターゲットマークと凸レンズ４Ａのパターンの「ずれ」を補正可能となっている。なお、この「ずれ」は、上記「変位」とは異なり、パターンと複数のターゲットマーク映像の間の、全体的な誤差を意味しているものである。
【００３１】
更にマーク映像変更手段３３０は、ターゲットマークを動かすことで上記変位量を経時変化させ、該ターゲットマークの遠近効果を時間変化させることが可能となっている。同様に、複数のターゲットマークが設定されている場合には、経時的にそのマークの図柄（文字映像も含む）を変化させることが可能となっている。その結果、例えば、文字を順番に切り替えることで、ターゲットマークによってメッセージを伝えることできる。
【００３２】
又、マーク映像変更手段３３０は、ターゲットマークの大きさを変化させることもできる。これらの変位・図柄・大きさを同時に変化させることで、動的に変化する映像にすることもできる。勿論、ターゲットマークを動画にしてもよい。
【００３３】
更に又、マーク映像変更手段３３０は、バックマークに関してもターゲットマークと同様に様々に変化させることが可能となっている。このバックマークに関しては、凸レンズ４Ａの影響を受けず、遠近感を生じない背景映像になるので、このバックマークを用いて、文章を上下、左右に流れるように移動させて、各種メッセージを伝えることも可能である。風景等を固定又は動画として映し出すこともできる。
【００３４】
補助効果設定手段３４０は、計測センサーボックス１０の距離センサー１０Ａ、光センサー１０Ｂ、音センサー１０Ｃからの出力信号を受け取り、各計測結果が所定の閾値を超えた場合に、補助効果ボックス１２のフラッシュ１２Ａの発光と及びスピーカ１２Ｂの音の再生に関する指令を発する。例えば、観察者が情報表示装置１に近づいた場合に、その距離に対応してフラッシュを発光させたり、音によって挨拶メッセージを再生したりすることで、観察者を驚かすことも可能である。周囲が明るくなった場合に反応して、音や光を生じさせるようにしても良く、観察者の手拍子等の音に反応して、光や音を発するようにしてもよい。また、これらの計測データに基づいて、マーク映像変更手段３３０に対して映像変更指示を送り、ディスプレイ装置６の映像を変化させるようにしてもよい。映像の変化と補助効果ボックス１２を連動させることも可能である。
【００３５】
また、この計測結果の閾値は、多段階に設定することも出来る。例えば、観察者と情報表示装置１間の距離が５メートルになった時に第１効果を生じさせ、３メートルになった時に第２効果、１メートルとなった時に第３効果を生じさせることも出来る。周囲の光や音に関しても同様に多段階に設定することもできる。
【００３６】
次に、図４、図５を参照して、本情報表示装置１の映像が遠近感を生じさせる仕組みについて説明する。
【００３７】
図４に示されるように、映像には、ターゲットマークＴとして星の図柄が表示され、バックマークＢとして「あい」の平仮名を表示している。また、凸レンズ４Ａの配列パターンと、ターゲットマークＴの配列パターンが同様となるように調整されている。つまり、隣接する凸レンズ４Ａ間の距離Ｐと、隣接するターゲットマークＴ間の距離Ｑが一致するようになっている。更に、パターンは同様にした状態で、凸レンズ４Ａのパターンに対して、ターゲットマークＴのパターンの位置を変位させている。具体的には、凸レンズ４ＡとターゲットマークＴの中心が完全に一致する場所を決定すると共に、その一致する場所に、レンズシート４に対して垂直となる軸Ｘを仮想設定し、この軸Ｘを中心に複数のターゲットマークＴの全体を微小回転させることで、凸レンズ４Ａのパターンに対して変位させる。結局、軸Ｘから遠ざかるターゲットマークＴ程、凸レンズ４Ａに対する変位量が大きくなり、図示できないが、更に遠くに至ると、ターゲットマークＴが隣の凸レンズ４Ａに重なることになり、モアレ状態になる。
【００３８】
ターゲットマークＴと一致している各凸レンズ４Ａを、軸Ｘに沿って鉛直に観察した場合には、その凸レンズ４ＡによってターゲットマークＴが拡大されるので、結局、凸レンズ４Ａ全体がターゲットマークＴの色で埋められて、有色のドットになる。一方、軸Ｘから離れていた凸レンズ４Ａの場合は、凸レンズ４ＡとターゲットマークＴの変位量が大きくなっているので、ターゲットマーク４Ａの色が背景の色と混在して薄まっていくことになる。
【００３９】
従って、図５に示されるように、凸レンズ４Ａの単体を映像のドットとして考えた場合、この凸レンズ４Ａのドット配列の組み合わせによって観察者に映し出される間接的な映像は、ターゲットマークＴが拡大された状態になる。また、各凸レンズ４Ａの表面に映し出される色は、観察者がレンズシート４を覗き込む角度によって変化するので、観察者が視線角度を変動させると、拡大されたターゲットマークＴが、レンズシート４上を大きく移動する。その結果、ターゲットマークＴが遠くに感じたり、近くに感じたりすることになる。
【００４０】
次に図６から図１０を参照して、本情報表示装置１の使用方法について詳細に説明する。図６のフローチャートに示されるように、まず、管理者が制御コンピュータ装置８のモニターを通じて、初期設定モードを要求し（Ｓ５００）、初期設定画面によってターゲットマーク及びバックマークを設定する（Ｓ５０２）。ここでは、ターゲットマークＴとして星の図柄及び五角形の図柄の２種類を設定し、バックマークＢとして、「あ」「ア」「い」の３種類の文字を設定する。次に、図５で既に示したように、ディスプレイ装置６から表示される映像を観察しながら、遠近感が生じるように、凸レンズ４Ａのパターンと、ターゲットマークＴのパターンが、中心の軸Ｘで一致するように、全体的な画像補正を実行する（Ｓ５０４）。その際、隣接する凸レンズ４Ａ間の距離Ｐと、隣接するターゲットマークＴ間の距離Ｑも一致させておく。その後、パターンはそのままに、凸レンズ４Ａのパターンに対して、軸Ｘを中心に複数のターゲットマークＴの全体を微小回転させることで変位させる。
【００４１】
初期設定が完了したら、次に、映像の表示を開始する（Ｓ５０６）。その結果、情報表示装置１に対して遠近感（前後の距離感）を含んだターゲットマークＴと、遠近感を有していないバックマークが同時に映し出され、観察者の興味を引く映像を提供できることになる。
【００４２】
映像の表示中に、観察者が情報表示装置１に近づいたり、声を発したり、周囲が明るくなったりして、計測センサーボックス１０の計測結果が所定の閾値を超えた場合には（Ｓ５０８）、フラッシュ光及び音声を発して（Ｓ５１０）、観察者を驚かせる。なお、この閾値を超えたと同時に、図７に示されるように、ターゲットマークＴを星から正五角形に変化させたり、バックマークＢを「あ」から「ア」に変更させたりすることで、観察者に更に興味を抱かせるようにしてもよい。
【００４３】
また、映像開始から所定時間経過したら、軸Ｘを中心にターゲットマークＴ全体を微小回転させて、レンズのパターンに対する変位量を変化させる（Ｓ５１２、Ｓ５１４）。例えば図８に示されるように、軸Ｘを中心とした回転角を小さくして、変位量を減少させて、遠近感に変化を生じさせる。また、同様に、映像開始から所定時間を経過したら、図９に示されるように、ターゲットマークＴの星の大きさを変化させて、更に映像に変化を付与する（Ｓ５１６、Ｓ５１８）。また更に、映像開始から所定時間を経過したら、図１０に示されるようにバックマークＢを変化させる。なおバックマークＢの場合は、その映像を動かすことで情報表示装置１にメッセージを流すことも可能である（Ｓ５２０、Ｓ５２２）。
【００４４】
本情報表示装置１によれば、ターゲットマークによる遠近感を含んだ映像を、自在に変化させることができるので、観察者に対して継続的に興味を抱かせることが可能になる。また、情報表示装置１が凸レンズとディスプレイを用いた簡易な構造であるにも関わらず、観察者がどのような角度や距離から情報表示装置１を観察しても、遠近感を感じさせることが出来るので、観察者の位置を限定できない看板等に有効活用できる。
【００４５】
従って例えば、地下鉄の通路に配置される壁に組み込んで、広告媒体として有効活用も可能になる。
【００４６】
更にまた、ターゲットマークを変化させることで、観察者の動きや、周囲の状況（音や光）に応じて、補助的な音・光の効果や、映像を変化させることが出来る。例えば、装置よりも手前に見える（浮いて見える）ターゲットマークに観察者が手を触れようとした際に、近接センサーがその手を検出して、ターゲットマークを変化させたりすることもできる。従って、仮想空間にターゲットマークが実在するような錯覚を生み出すことも可能になる。
【００４７】
以上、本実施形態では、制御コンピュータ装置が、ディスプレイ装置６と一体的に用意される場合に限って示したが、本発明はそれに限定されず、専用回線やインターネット等の公衆回線を用いて、遠隔的に設置されていても構わない。また、ここでは制御コンピュータ装置によって映像を初期設定する場合に限って示したが、映像の設定を行うこと無く、ターゲットマークやバックマークが経時的に変化していくような映像データを予め完成させておき、制御コンピュータ装置８を介してディスプレイ装置に映し出すようにしてもよい。
【００４８】
また、ここでは凸レンズの大きさや、その配列に関しては特に限定されないが、凸レンズは、ターゲットマークを拡大して表示する映像ドットとして機能させることから、その凸レンズ以外のスペースで、バックマークを表示させることが望ましい。従って、凸レンズの平面上の面積に対して、その他の領域の平面上の面積は０．３倍以上、望ましくは０．５倍以上は確保しておくことが望ましい。更に好ましくは、凸レンズの面積に対して、その他の面積が同等以上となるように設定する。
【００４９】
尚、本発明の情報表示装置は、上記した実施の形態に限定されるものではなく、本発明の要旨を逸脱しない範囲内において種々変更を加え得ることは勿論である。
【産業上の利用可能性】
【００５０】
本発明の情報表示装置によれば、遠近感を生じさせる動画等を提供することが可能になり、広告媒体や、看板、玩具等に利用することが可能になる。
【図面の簡単な説明】
【００５１】
【図１】本発明の実施の形態に係る情報表示装置の全体構成を示す分解斜視図
【図２】同情報表示装置の制御コンピュータ装置のハード構成を示すブロック図
【図３】同制御コンピュータ装置の制御構成を示すブロック図
【図４】同情報表示装置の映像例を示す平面図
【図５】同情報表示装置の観察時の映像状態を示す斜視図
【図６】同情報表示装置の動作手順を示すフローチャート
【図７】同情報表示装置の映像の変化例を示す平面図
【図８】同情報表示装置の映像の変化例を示す平面図
【図９】同情報表示装置の映像の変化例を示す平面図
【図１０】同情報表示装置の映像の変化例を示す平面図
【符号の説明】
【００５２】
１          情報表示装置
４          レンズシート
４Ａ        凸レンズ
６          ディスプレイ装置
８          制御コンピュータ装置
１０        計測センサーボックス
１０Ａ      距離センサー、
１０Ｂ      光センサー、
１０Ｃ      音センサー
１２        補助効果ボックス
１２Ａ      フラッシュ
１２Ｂ      スピーカ
【図１】
2006215058.tif 000003
【図２】
2006215058.tif 000004
【図３】
2006215058.tif 000005
【図４】
2006215058.tif 000006
【図５】
2006215058.tif 000007
【図６】
2006215058.tif 000008
【図７】
2006215058.tif 000009
【図８】
2006215058.tif 000010
【図９】
2006215058.tif 000011
【図１０】
2006215058.tif 000012